(57)【要約】      （修正有）【課題】内部空間に存在する気体を、選択的に放出することができ、ユーザーにとって、簡便に携帯することができ、また、繰り返して使用できる気体供給瓶構造を提供する。【解決手段】頂部と肩部及び内部空間を有する瓶体１０と、該瓶体の肩部の一側に接続され、開口部３１と、第一接続端３２及びバルブ体３４を有し、軸心と上記瓶体の軸心とが、８５°よりも小さい角度θを形成する注入部３０と、第二接続端４１と、連接部４２及びバルブ体４３を有し、内部空間に存在する気体を選択的に放出できる放出部４０とからなる気体供給瓶構造であって、簡便で携帯可能であり、また、繰り返して使用することができる。【選択図】図２
0003170220.tif 000002
【実用新案登録請求の範囲】
【請求項１】
上方に、頂部が形成されてあり、中段位置に、肩部が形成されてある瓶体と、
上記瓶体の肩部の一側に位置した開口部と、第一接続端及びバルブ体を有し、上記開口部と、第一接続端との間において、貫通するトンネルが形成され、上記トンネルの中央に、バルブが設置され、上記バルブの外側に、上記バルブ体が接続され、上記第一接続端が、瓶体の肩部の一側に接続され、上記注入部の軸心と上記瓶体の軸心とが、角度θを形成し、上記角度θが８５°よりも小さい注入部と、
第二接続端と連接部及びバルブ体が設けられてあり、上記第二接続端と連接部との間に、貫通するトンネルを有し、トンネルの中央に、外側に上記バルブ体が接続されるバルブが設置されて、内部空間の気体が、選択的に放出される放出部と、
上記の連接部と連通する導管を有する呼吸器とからなることを特徴とする気体供給瓶構造。
【請求項２】
上記瓶体の材質が、水素が浸透することを抑制できる金属からなることを特徴とする請求項１に記載の気体供給瓶構造。
【請求項３】
上記瓶体の頂部に、圧力計が設置され、上記圧力計に、指示部が設けられてあり、上記圧力計が、頂部の上方に貫設されて、瓶体の内部空間において、粉末と水が混合された後、生成した気体の圧力を検知し、指示部が、圧力値を表示してなることを特徴とする請求項１に記載の気体供給瓶構造。
【請求項４】
上記注入部の上記開口部の開口に、封止ふたが設けられてなることを特徴とする請求項１に記載の気体供給瓶構造。
【請求項５】
上記開口部と第一接続端との間に形成されたトンネルにより、粉末と水とが、上記バルブ体のトンネルを経由して、瓶体の内部空間へ送られることを特徴とする請求項１に記載の気体供給瓶構造。
【請求項６】
上記放出部の連接部と呼吸器との間において、凝縮装置が設置され、上記凝縮装置に、少なくとも、流路座と収納部が設けられ、上記流路座内に、複数の流路が設けられ、また、上記複数の流路の両側が、それぞれ、上記の連接部と上記導管に接続され、上記瓶体から放出された気体を、上記収納部内へ案内して気体中の水分を凝縮してなることを特徴とする請求項１に記載の気体供給瓶構造。
【請求項７】
上記呼吸器が、人体の顔面の鼻の位置に付けられて、人体に、より完全に放出された気体を吸收することに供されることを特徴とする請求項１に記載の気体供給瓶構造。
【請求項８】
粉末と水が、少なくとも一つ以上の容器により外部から上記注入部に注入されてから、瓶体の内部空間に充填されることを特徴とする請求項１に記載の気体供給瓶構造。
【考案の詳細な説明】
【技術分野】
【０００１】
本考案は、気体供給瓶構造に関するものであり、さらに詳しくは、簡便で携帯可能でありながら、常時、特定の気体を人体の呼吸に供給することができる気体供給瓶構造に関するものである。
【背景技術】
【０００２】
人体が、特別な状態においては、特に、汚染や疲れ或いは高温高圧の環境においては、特定の気体を、人体の呼吸に供することにより、特定の養分を与えることにより、正常に活動できるようになるが、人体に対して特殊気体を提供する既存の器具は、高圧充填によるエア瓶に、ユーザーに着用するための呼吸器を付けて、利用されている。
【０００３】
従来のかかる充填式エア瓶は、一般的には、コストダウンのために、エア瓶自体には、大きいサイズの鋼円筒を利用し、また、上記エア瓶内に充填された特定気体を放出し終えたら、特定の工場に回収されて充填し直されてから、再度、使用される。その厖大且つ重量のある充填式エア瓶は、長期的に整備しながら保管する場所が必要とされるだけでなく、一般ユーザーが、必要とするとき、気楽にそして直ぐに、特定気体を呼吸に供するようなことができるようなものではなく、かかる事情は、従来の充填式エア瓶の最大の問題点とされている。
【０００４】
また、前記の特定気体としては、普通の酸素以外、最近、発見された、水素ガスに存在する『活性水素イオン（Ｈ−）』がある。水素は、工業において、次世代の無公害エネルギーの燃料電池として利用されるだけでなく、人体の生命や健康に対しても、不可欠でもあり、それは、人体を構成する元素の６３％が、水素である。また、科学者によっては、格別の水素イオンが、人体の重要な栄養源やエネルギー源として、人体の細胞に対して、全体としての健康に大きく影響することが確認されているが、従来、市場において、適当な構造設計で、ユーザーに効率的に呼吸用に水素イオンを提供可能な器具は、欠如していた。
【０００５】
かかる状況下において、特開２００６−１４９８４号公報（以下、「特許文献１」という。）には、呼吸器疾患患者、呼吸器が弱くなった高齢者等が手近で簡便な酸素を補給できる酸素補給・吸入用器具が記載されている。
【０００６】
また、特許第４１６２１２６号公報（以下、「特許文献２」という。）には、肺に障害がある人が日常生活を送るために酸素濃縮器や酸素ボンベなどの酸素吸入源からカニューレによって鼻腔に酸素を供給するための眼鏡と一体化された酸素吸入装置が記載されている。
【０００７】
しかし、いずれの特許文献にも、内部空間に存在する気体を選択的に放出させる構造については開示がなく、また、水素イオンの吸入については示唆するものもない。
【特許文献１】特開２００６−１４９８４号公報
【特許文献２】特許第４１６２１２６号公報
【考案の開示】
【考案が解決しようとする課題】
【０００８】
従って、本考案の課題は、内部空間に存在する気体を、選択的に放出することができ、ユーザーにとって、簡便で携帯することができ、また、繰り返して使用できる気体供給瓶構造を提供することにある。
【課題を解決するための手段】
【０００９】
そこで、本考案者は、かかる本考案の課題を解決するため鋭意検討を重ねた結果、瓶体本体に対して特定の傾斜角度を有する開口部およびバルブを設けることにより粉体と水の装入を容易にし、気体の発生を効率的に行なうことができることに着目し、かかる知見に基いて本考案に想到した。
【００１０】
かくして、請求項１の考案によれば、上方に、頂部が形成されてあり、中段位置に、肩部が形成されてある瓶体と、
上記瓶体の肩部の一側に位置した開口部と、第一接続端及びバルブ体を有し、上記開口部と、第一接続端との間において、貫通するトンネルが形成され、上記トンネルの中央に、バルブが設置され、上記バルブの外側に、上記バルブ体が接続され、上記第一接続端が、瓶体の肩部の一側に接続され、上記注入部の軸心と上記瓶体の軸心とが、角度θを形成し、上記角度θが８５°よりも小さい注入部と、
第二接続端と連接部及びバルブ体が設けられてあり、上記第二接続端と連接部との間に、貫通するトンネルを有し、トンネルの中央に、外側に上記バルブ体が接続されるバルブが設置されて、内部空間の気体が、選択的に放出される放出部と、
上記の連接部と連通する導管を有する呼吸器とからなることを特徴とする気体供給瓶構造が提供される。
【００１１】
請求項２の考案によれば、上記瓶体の材質が、水素が浸透することを抑制できる金属からなることを特徴とする請求項１に記載の気体供給瓶構造が提供される。
【００１２】
請求項３の考案によれば、上記瓶体の頂部に、圧力計が設置され、上記圧力計に、指示部が設けられてあり、上記圧力計が、頂部の上方に貫設されて、瓶体の内部空間において、粉末と水が混合された後、生成した気体の圧力を検知し、指示部が、圧力値を表示してなることを特徴とする請求項１に記載の気体供給瓶構造が提供される。
【００１３】
請求項４の考案によれば、上記注入部の上記開口部の開口に、封止ふたが設けられてなることを特徴とする請求項１に記載の気体供給瓶構造が提供される。
【００１４】
請求項５の考案によれば、上記開口部と第一接続端との間に形成されたトンネルにより、粉末と水とが、上記バルブ体のトンネルを経由して、瓶体の内部空間へ送られることを特徴とする請求項１に記載の気体供給瓶構造が提供される。
【００１５】
請求項６の考案によれば、上記放出部の連接部と呼吸器との間において、凝縮装置が設置され、上記凝縮装置に、少なくとも、流路座と収納部が設けられ、上記流路座内に、複数の流路が設けられ、また、上記複数の流路の両側が、それぞれ、上記の連接部と上記導管に接続され、上記瓶体から放出された気体を、上記収納部内へ案内して気体中の水分を凝縮してなることを特徴とする請求項１に記載の気体供給瓶構造が提供される。
【００１６】
請求項７の考案によれば、上記呼吸器が、人体の顔面の鼻の位置に付けられて、人体に、より完全に放出された気体を吸收することに供されることを特徴とする請求項１に記載の気体供給瓶構造が提供される。
【００１７】
請求項８の考案によれば、粉末と水が、少なくとも一つ以上の容器により外部から上記注入部に注入されてから、瓶体の内部空間に充填されることを特徴とする請求項１に記載の気体供給瓶構造が提供される。
【考案の効果】
【００１８】
本考案は、前記の通りの構成からなるものであり、携帯可能でありながら、特定の気体を人体の呼吸に効率よく供給することができる。特に、傾斜角度を有する注入部を有することにより、粉末と水をスムーズに注入することができ、発生する気体の圧力を均一に制御することができ、指示部により確認し、安全を確保することもできる。
【考案を実施するための最良の形態】
【００１９】
以下、図面を参照しながら、本考案の特徴や技術内容について、詳しく説明するが、それらの図面等は、参考や説明のためであり、本考案は、それによって限定されるものではない。
【００２０】
図１乃至図３に示すように、本考案は、特定の粉末と水を混合してから、生成した気体を、気体供給瓶構造に注入して、必要とするとき、ユーザーに対して、呼吸に供し、人体に養分を供給するためのものである。本考案の実施形態によれば、瓶体１０を主体とし、上記瓶体１０は、水素の浸透を抑制できる金属を材質として、プレス成形されたものであるが、他の水素の浸透を抑制できる材質からなるものでもよい。上記瓶体１０は、上方に、頂部１１が設けられてあり、その中段位置が、肩部１２になる。上記頂部１１に、圧力計２０が設置され、上記圧力計２０は、指示部２１を有する。上記圧力計２０が、頂部１１の上方において、中央位置に貫通し、瓶体１０の中央軸線と同心するように設置され、瓶体１０の内部空間１０１において、混合された粉末Ｓと水Ｗからなる気体Ａの圧力を、均一に、検知して、指示部２１により内部空間１０１内の圧力値が表示されることにより、安全を確保する。
【００２１】
上記瓶体１０の肩部１２の一側に、注入部３０が接続され、上記注入部３０は、開口部３１と、第一接続端３２と、封止ふた３３及び内部において、バルブ体３４とバルブ体３４とを接続するバルブ３４１からなり、上記開口部３１と第一接続端３２との間において、貫通するトンネルが形成され、トンネルの中央に、上記バルブ３４１が設けられる。これにより、バルブ３４１の外側に接続されたバルブ体３４が、回転できるように、開閉でき、上記第一接続端３２が、瓶体１０の肩部１２の一側に接続され、上記開口部３１と第一接続端３２との間のトンネルのサイズは、上記少なくとも一つの容器から、上記の粉末と水を、上記バルブ体のトンネルを経由して瓶体１０の内部空間１０１へ送ることができるように設定される。本実施例の注入部３０は、粉末と水を注入するとき、スムーズに注入できるように設定される。上記注入部３０の軸心と、上記瓶体１０の軸心とが、角度θを形成し、上記角度θは、８５°よりも小さく、また、上記封止ふた３３は、粉末と水とが注入された後、バルブ３４１が閉鎖されてから、上記開口部３１の開口に螺着され、封止機能を発揮する。
【００２２】
瓶体１０の肩部１２の他側に、放出部４０が接続され、上記放出部４０は、第二接続端４１と、連接部４２と、内部においてバルブ体４３とバルブ体４３を連結するためのバルブ４３１とからなり、上記第二接続端４１と連接部４２との間に、貫通するトンネルが形成され、トンネルの中央に、上記バルブ４３１が設けられる。これにより、バルブ４３１の外側に接続されたバルブ体４３が、回転できるように、開閉でき、これにより、上記内部空間１０１に存在する気体は、選択的に放出することができる。
【００２３】
上記放出部４０の連接部４２の一側に、呼吸器６０が接続されるが、本実施例の構造設計では、更に、上記放出部４０と呼吸器６０との間に、凝縮装置５０が設置される。上記凝縮装置５０は、収納部５１と、流路座５２と、濾過管５３と、第三接続端５４とを有する。上記流路座５２の内部において、複数の流路が設けてあって、下方へ濾過管５３が伸び、上記流路座５２の一側に、放出部４０の連接部４２が接続され、上記流路座５２の下方に、上記収納部５１が接続され、収納部５１により、水素イオンを有する気体が、上記流路座５２内の流路を経由して収納部５１へ流れる時、濾過管５３を介して外へ流出して、水分が、収納部５１の底部上に凝縮できるため、この設計によれば、更に、水蒸気の出力比率が低減され、上記のバルブ３４１／４３１は、本実施例において、ニードル弁を利用するが、他のタイプの玉弁等を利用してもよい。
【００２４】
上記流路座５２の第三接続端５４に、導管６１が接続され、導管６１に、更に、呼吸器６０が接続され、上記呼吸器６０は、人体の鼻部位置を囲むように、人体に、より完全に上記気体を吸收でき、上記導管６１は、水分が収納部５１底部上に凝縮することにより、管内の水溜りによる気体の流通に障害発生する可能性を低減させ、そのため、少なくとも一つ以上の容器７０／８０によって供給された粉末Ｓと水Ｗとが、外部から、上記注入部３０に充填される。
【００２５】
以上は、本考案のより良い実施形態であり、本考案は、それらによって限定されるものではなく、本考案に係わる実用新案登録請求の範囲や明細書の内容に基づいて行った等価の変更や修正は、全てが、本考案の範囲内に含まれる。
【図面の簡単な説明】
【００２６】
【図１】本考案の一実施形態による気体供給瓶構造の斜視図である。
【図２】本考案の一実施形態による気体供給瓶に粉末と水を注入する場合の説明図である。
【図３】本考案の一実施形態による気体供給瓶において、粉末と水とが混合されて生成した気体が放出される場合の説明図である。
【符号の説明】
【００２７】
１０  瓶体
１０１  内部空間
１１  頂部
１２  肩部
２０  圧力計
２１  指示部
３０  注入部
３１  開口部
３２  第一接続端
３３  封止ふた
３４  バルブ体
３４１  バルブ
４０  放出部
４１  第二接続端
４２  連接部
４３  バルブ体
４３１  バルブ
５０  凝縮装置
５１  収納部
５２  流路座
５３  濾過管
５４  第三接続端
６０  呼吸器
６１  導管
７０  容器
８０  容器
Ａ  気体
Ｗ  水
Ｓ  粉末
【図１】
0003170220.tif 000003
【図２】
0003170220.tif 000004
【図３】
0003170220.tif 000005